(57)【要約】【課題】防音ケースの側面の凹所に設けられた出力端子の絶縁低下を防止できる端子カバーを備えた防音型エンジン駆動作業機を提供する。【解決手段】エンジンと、作業機本体と、必要な補機類とを防音ケース２に収容し、この防音ケース２の側面２ａに設けられた凹所３に、作業機本体から供給される出力を負荷に接続するための出力端子４を配設し、凹所３を覆うように開閉自在に端子カバー５を設けた防音型エンジン駆動作業機であって、端子カバー５は、凹所３の上部で上下方向に回動自在に防音ケース２の側面に枢着されるとともに、端子カバー５の上縁部に、端子カバー５の一方の縁部から他方の縁部まで、断面がＵ字状の溝部５ａまたは凸形状の段部を備えたことを特徴とする防音型エンジン駆動作業機。【選択図】図１
0003117792.tif 000002
【実用新案登録請求の範囲】
【請求項１】
エンジンと、このエンジンにより駆動される作業機本体と、この作業機本体に必要な補機類を防音ケースに収容し、
この防音ケースの側面に設けられた凹所に、前記作業機本体から供給される出力を負荷に接続するための出力端子を配設し、
前記凹所を覆うように開閉自在に端子カバーを設けた防音型エンジン駆動作業機であって、
前記端子カバーは、前記凹所の上部で上下方向に回動自在に前記防音ケースの側面に枢着されるとともに、
前記端子カバーに、前記端子カバーの一方の側縁部から他方の側縁部まで、断面が凹形状の溝部または凸形状の段部を備えたことを特徴とする防音型エンジン駆動作業機。
【請求項２】
前記溝部または段部は、前記端子カバーの上縁部に設けられていることを特徴とする請求項１に記載の防音型エンジン駆動作業機。
【請求項３】
前記溝部または段部は、断面がＵ字状に形成されていることを特徴とする請求項１または請求項２に記載の防音型エンジン駆動作業機。
【請求項４】
前記溝部または段部は、前記端子カバーの左右方向に沿って設けられていることを特徴とする請求項１から請求項３のいずれか１項に記載の防音型エンジン駆動作業機。
【請求項５】
前記溝部または段部は、前記端子カバーの左右方向に対して交差する方向に沿って設けられていることを特徴とする請求項１から請求項３のいずれか１項に記載の防音型エンジン駆動作業機。
【考案の詳細な説明】
【技術分野】
【０００１】
本考案は、エンジン、および、圧縮機、発電機、溶接機、その他の作業機本体を防音ケースに収容した防音型エンジン駆動作業機に関し、特に出力端子の絶縁低下を防止できる端子カバーを備えた防音型エンジン駆動作業機に関する。
【背景技術】
【０００２】
防音型エンジン駆動作業機として、例えば、工事現場等において照明器具等の負荷装置に電力を供給する防音型エンジン駆動発電機は、エンジンと、このエンジンにより駆動される発電機本体と、この発電機本体に必要な補記類を防音ケースに収容することにより、エンジン等の騒音が外部に漏れるのを防止するように構成されたものが知られている（特許文献１、特許文献２）。
【０００３】
例えば、特許文献１に記載された防音型エンジン駆動発電機について、図５を参照しながら具体的に説明する。図５（ａ）は防音ケースの側面に設けられた端子カバーの取り付け状態を説明するための斜視図である。そして、図５（ｂ）は端子カバーの周辺の状態を示す（ａ）の部分断面図であり、端子カバーを閉じた状態を示し、図５（ｃ）は端子カバーを開いた状態を示す。
【０００４】
特許文献１に記載された防音型エンジン駆動発電機１′は、図５（ａ）に示すように、図示しない負荷装置へ電力を供給するための出力端子４′が防音ケース２′の側面２ａ′の凹所３′に配設されている。そして、この凹所３′を覆うように端子カバー５′が設けられている。端子カバー５′は、出力端子４′に雨水や塵埃等が付着して絶縁低下をきたすことを防止する他、作業者の感電や、外部からの接触を防止して端子カバー５′を保護する役割を担っている。
また、端子カバー５′は、上下方向に回動させて開閉できるように防音ケース２′の側面２ａ′に枢着されている。したがって、作業者は、出力端子４′に負荷と接続する外部出力線１２′を結線する際には、作業がし易いように端子カバー５′を大きく開けて外部出力線１２′を結線し（図５（ｃ））、結線後は塵埃等が入らないように端子カバー５′を閉じて出力端子４′を保護している（図５（ｂ））。
【特許文献１】実用新案登録第３０９６４７１号公報
【特許文献２】特開平０９−１５１７４４号公報
【考案の開示】
【考案が解決しようとする課題】
【０００５】
しかしながら、この種の防音型エンジン駆動発電機は、屋外に設置されたまま使用されるケースが多く、夜の間に風雨にさらされて端子カバーの表面には、地面から跳ね返った塵埃や雨滴等が付着しやすい。そして、翌朝作業を開始する際にそのまま端子カバーを開けると、端子カバーの表面に付着した雨滴や塵埃等が端子カバーの表面に沿って流れ落ちて、出力端子に付着する場合があり、絶縁低下を招くおそれがあった。また、降雨時に点検や結線作業で端子カバーを開けたまま作業をしたり、そのまま放置されたりする場合もあり、出力端子まで雨水等が浸入して絶縁低下を招くおそれもあった。
【０００６】
そこで、本考案は、前記した問題点を解決すべく、防音ケースの側面の凹所に設けられた出力端子の絶縁低下を防止できる端子カバーを備えた防音型エンジン駆動作業機を提供することを課題とする。
【課題を解決するための手段】
【０００７】
前記課題を解決するため、本考案に係る防音型エンジン駆動作業機は、エンジンと、このエンジンにより駆動される作業機本体と、この作業機本体に必要な補機類を防音ケースに収容し、この防音ケースの側面に設けられた凹所に、前記作業機本体から供給される出力を負荷に接続するための出力端子を配設し、前記凹所を覆うように開閉自在に端子カバーを設けた防音型エンジン駆動作業機であって、前記端子カバーは、前記凹所の上部で上下方向に回動自在に前記防音ケースの側面に枢着されるとともに、前記端子カバーに、前記端子カバーの一方の側縁部から他方の側縁部まで、断面が凹形状の溝部または凸形状の段部を備えたことを特徴とする。
【０００８】
このように、本考案は、端子カバーの一方の縁部から他方の縁部まで、断面が凹形状の溝部または凸形状の段部を設けたことで、端子カバーを開けた際に、端子カバーの表面に付着した雨滴や塵埃等が端子カバーの表面に沿って移動した場合であっても、雨滴等は凹形状の溝部または凸形状の段部によってその移動が規制され、溝部または段部の方向に沿って誘導される。
また、端子カバーに設けられた溝部または段部は、端子カバーの一方の縁部から他方の縁部まで形成されているため、雨滴等を効率よく回収することができる。
【０００９】
前記した考案において、溝部または段部は、端子カバーの上縁部に設けられていることが望ましい。かかる構成によれば、端子カバーを開いた状態で、端子カバーの表面の全体に付着した雨滴等を余すことなく溝部または段部で受け止めることができ、出力端子に雨滴等が付着することをより確実に防止することが可能となる。
【００１０】
前記溝部または段部は、その断面をＵ字状に形成することができる。かかる構成によれば、加工性、およびデザイン性がよく、端子カバーの開閉時においても他の部材との干渉を緩和することができる。
【００１１】
前記溝部または段部は、前記端子カバーの左右方向に沿って設けることができる。かかる構成によれば、端子カバーの表面に付着した雨滴等は端子カバーの左右方向に沿って誘導される。したがって、出力端子の位置を避けて雨滴等を排出することができるため、出力端子に雨滴等が付着することを防止することができる。
【００１２】
また、前記溝部または段部は、前記端子カバーの左右方向に対して交差する方向に沿って設けることもできる。かかる構成によれば、端子カバーを開いた状態で、溝部または段部の方向を水平面に対して傾斜させることで、溝部または段部の方向の下流方向に雨滴等を確実に誘導することができるため、より確実に出力端子に雨滴等が付着することを防止することができる。
【考案の効果】
【００１３】
本考案に係る防音型エンジン駆動作業機によれば、防音ケースの側面の凹所に設けられた出力端子の絶縁低下を防止できる端子カバーを備えた防音型エンジン駆動作業機を提供することができる。
【考案を実施するための最良の形態】
【００１４】
次に、本考案の実施形態について、防音型エンジン駆動作業機の一例として、防音型エンジン駆動発電機について、適宜図面を参照しながら詳細に説明する。
参照する図面において、図１（ａ）は本考案の実施形態に係る防音型エンジン駆動発電機の出力端子の周辺の構成を説明するための部分斜視図であり、図１（ｂ）は端子カバーの外観を示す斜視図であり、図２は出力端子の周辺の構成を示す分解斜視図である。図３は端子カバーの作用を説明するための断面図であり、（ａ）は端子カバーを閉じた状態を示し、（ｂ）は端子カバーを開いた状態を示す。また、図３（ｃ），（ｄ）は、本考案の変形例を示す端子カバーの断面図である。
なお、本実施形態では、作業機本体が発電機である防音型エンジン駆動発電機について説明するが、これに限定されるものではなく、作業機本体が圧縮機や溶接機であってもよい。要するに、本考案は防音ケースに端子カバーを備えた種々の防音型エンジン駆動作業機に適用することができる。
【００１５】
本考案の実施形態に係る防音型エンジン駆動発電機１は、図１（ａ）に示すように、防音ケース２に、図示しないエンジンと、このエンジンにより駆動される図示しない発電機本体と、この発電機本体に必要な補記類等を収容している。
そして、防音ケース２の側面２ａには凹所３が設けられ、この凹所３に発電機本体から供給される出力を照明器具等の負荷に接続するための出力端子４が配設されている。
また、出力端子４が配設された凹所３を覆うように開閉自在に端子カバー５が設けられており、この端子カバー５は、凹所３の上部で上下方向に回動自在に防音ケース２の側面２ａに枢着されている。
【００１６】
防音ケース２の側面２ａに設けられた凹所３は、図２に示すように、防音ケース２の側面２ａを構成し（図１参照）、矩形の開口部６ａが形成されたスプラッシャパネル６と、このスプラッシャパネル６の開口部６ａの開口縁に沿って設けられた端子板取り付け部材８と、から形成されている。そして、端子板取り付け部材８には、端子板４ａを介して、出力端子４が配設されている。
【００１７】
端子板取り付け部材８は、斜め上方に向けて傾斜させた下面部８ａと、上面部８ｂと、左右の側面部８ｃと、発電機側（防音ケース内側）に位置する垂直に形成された背面部８ｄと、を備えている。そして、端子板取り付け部材８がスプラッシャパネル６の開口部６ａから発電機側に張り出すように設けられて、凹所３が形成されている（図３（ａ）を併せて参照）。
【００１８】
出力端子４は、図２に示すように、端子板４ａを介して、端子板取り付け部材８の下面部８ａに配設されている。出力端子４は、端子板４ａを挟んで、図３（ａ）に示すように、スプラッシャパネル６の開口部６ａに向けて突出する負荷側端子４ｂと、発電機側に突出する発電機側端子４ｃと、を備えている。そして、負荷側端子４ｂには負荷と接続する外部出力線１２が結線され、発電機側端子４ｃには発電機と接続する内部出力線１３が結線されている。
【００１９】
端子カバー５は、図２に示すように、スプラッシャパネル６の開口部６ａの形状に対応して略矩形の形状を備えている。そして、端子カバー５は、その上縁部に沿って形成された凹形状の溝部５ａと、この溝部５ａの下方に形成されたヒンジ部５ｂと、内側に屈曲するように形成された下端部５ｃと（図３（ａ）を併せて参照）、を備えている。
【００２０】
凹形状の溝部５ａは、図２に示すように、端子カバー５の上縁部の端部に左右方向に沿って一方の縁部としての端部から他方の縁部としての端部まで設けられ、その断面は略Ｕ字状に形成されている（図３（ａ），（ｂ）参照）。かかる構成により、端子カバー５を開いた際に、端子カバー５の外表面に付着した泥や雨滴が下方（内側）へ移動すると、溝部５ａで受け止められて、この溝部５ａが形成された方向に沿って流れるようになる。
【００２１】
なお、本実施形態においては、端子カバー５の上縁部の端部に溝部５ａを設けたが、これに限定されるものではなく、図３（ｃ）に示すように、端子カバー５１の上縁部から中央よりに溝部５１ａを形成することもできるし、複数の溝部を形成してもよい。また、図３（ｄ）に示すように、端子カバー５に凸形状の段部５２ａを設けてもよいし、これらの溝部および段部の組み合わせであってもよい。要するに、凹形状の溝部または凸形状の段部は、雨滴等が端子カバー５の表面に沿って移動しようとする方向を規制できる形状であればよい。
【００２２】
ヒンジ部５ｂ，５ｂは、図２に示すように、左右方向に貫通した取り付け穴５ｄ，５ｄを備えて構成され、この取り付け穴５ｄ，５ｄを対面させるように端子カバー５の左右の端部に突出して設けられている。
また、ヒンジ部５ｂ，５ｂは、本実施形態においては、端子カバー５の上縁部に形成された凹形状の溝部５ａ直下に形成されている。大きな開口面積を確保するとともに、雨滴等を効率よく回収できるようにするためである。
【００２３】
端子カバー５の下端部５ｃは、図３（ａ）に示すように、内側に向けてＵ字状に折り曲げて形成されている。かかる構成により、外部出力線１２を保護するとともに、端子カバー５の強度を上げ、端子カバー５の開閉時の操作性を向上させている。
【００２４】
さらに、本考案の実施形態に係る変形例について、図４を参照しながら説明する。図４は、本考案の変形例に係る端子カバーを示す斜視図である。
本考案の変形例に係る端子カバー５３は、図４に示すように、上縁部に形成された溝部５３ａが左右方向に対して交差する方向に設けられている。具体的には、溝部５３ａは上向きに開放されたＶ字状に形成され、端子カバー５３の中央部では下方に位置し、端子カバー５３の左右の端部では中央部よりも上方に位置するように構成されている。
このため、溝部５３ａは、端子カバー５３を大きく開いた状態では（図３（ｂ）参照）、水平面に対して、端子カバー５３の中央部が上方に位置し、左右の端部では中央部よりも下方に位置することになる。したがって、端子カバー５３の表面に付着した雨滴等は、端子カバー５３の表面に沿って流れ落ちながら溝部５３ａで受け止められて、出力端子４（図２参照）の位置を避けて左右に分かれて機外に排出されるため、出力端子４に雨滴等が付着することをより確実に防止できる。
【００２５】
続いて、本考案の実施形態に係る防音型エンジン駆動発電機１の作用について、適宜図面を参照しながら説明する。
本考案の実施形態に係る防音型エンジン駆動発電機１は、防音ケース２の側面２ａの凹所３に出力端子４を配設し、凹所３を覆うように防音ケース２の側面２ａに開閉自在に端子カバー５を設け、端子カバー５の上縁部に、一方の縁部から他方の縁部まで左右方向に沿って、断面がＵ字状の溝部５ａが形成されている。
【００２６】
かかる構成により、端子カバー５を開けた際に、端子カバー５の表面に付着した雨滴や塵埃等が端子カバー５の表面に沿って移動した場合であっても、雨滴等はＵ字状の溝部５ａに受け止められて、その溝部５ａの方向に沿って誘導される。このため、出力端子４の位置を避けて雨滴等を排出することができ、出力端子４に雨滴等が付着することを防止することが可能となる。
また、溝部５ａは、端子カバー５の上縁部に設けられているため、端子カバー５を開いた状態で、端子カバー５の表面の全体に付着した雨滴等を余すことなく、溝部５ａに誘導でき、出力端子４に雨滴等が付着することを確実に防止している。
【００２７】
さらに、本考案によれば、溝部５ａが形成された方向に沿って雨滴等の流れを誘導することができるため、出力端子４に雨滴等が付着することを防止することができるとともに、出力端子４を自由な位置に配置することが可能となる。
このため、従来の防音型エンジン駆動発電機１′では、凹所３′の背面部に出力端子４′を配置していたのに対し（図５（ｃ）参照）、本実施形態では、端子板取り付け部材８において、斜め上方に向けて傾斜させた下面部８ａに出力端子４を配置することで、外部出力線１２を接続する際の作業性をも改善している（図３（ｂ）参照）。
【００２８】
以上、本考案の実施形態について説明したが、本考案は前記した実施形態に限定されず、適宜変更して実施することが可能である。
例えば、本実施形態においては、端子カバー５は、略矩形の形状に構成したが、これに限定されるものではなく、台形等の他の形状に構成することもできる。
また、本実施形態においては、凹形状の溝部５ａは、端子カバー５の上縁部の端部に左右方向に沿って一方の端部から他方の端部まで端部から開放されて設けられているが、必ずしも溝を端部から開放する必要はない。
さらに、本実施形態においては、端子カバー５に設けられた溝部５３ａは上向きに開放されたＶ字状に形成したが、これに限定されるものではなく、左右方向に形成された溝部または段部と組み合わせてもよく、端子カバー５の側縁部では、側縁の方向に沿って形成してもよい。
要するに、端子カバーに設けられる凹形状の溝部または凸形状の段部は、出力端子の配置および端子カバーの形状等を考慮して、端子カバーの表面に付着した雨滴や塵埃等を効率よく回収でき、出力端子に雨滴等が付着しないように機外に排出できるよう適宜設定される。
【図面の簡単な説明】
【００２９】
【図１】（ａ）は本考案の実施形態に係る防音型エンジン駆動発電機の出力端子の周辺の構成を説明するための部分斜視図であり、（ｂ）は端子カバーの外観を示す斜視図である。
【図２】本考案の実施形態に係る防音型エンジン駆動発電機の出力端子の周辺の構成を示す分解斜視図である。
【図３】本考案の実施形態に係る防音型エンジン駆動発電機の端子カバーの作用を説明するための断面図であり、（ａ）は端子カバーを閉じた状態を示し、（ｂ）は端子カバーを開いた状態を示す。また、（ｃ），（ｄ）は、本考案の変形例を示す端子カバーの断面図である。
【図４】本考案の実施形態に係る防音型エンジン駆動発電機の端子カバーの他の変形例を示す斜視図である。
【図５】（ａ）は従来の防音型エンジン駆動発電機の端子カバーの取り付け状態を説明するための斜視図である。また、（ｂ）は端子カバーの周辺の状態を示す（ａ）の部分断面図であり、端子カバーを閉じた状態を示し、（ｃ）は開いた状態を示す。
【符号の説明】
【００３０】
１      防音型エンジン駆動発電機
２      防音ケース
２ａ    側面
３      凹所
４      出力端子
５      端子カバー
５ａ    溝部
５ｂ    ヒンジ部
６      スプラッシャパネル
６ａ    開口部
８      端子板取り付け部材
１２    外部出力線
１３    内部出力線
５１，５２，５３    端子カバー
５１ａ  溝部
５２ａ  段部
５３ａ  溝部
【図１】
0003117792.tif 000003
【図２】
0003117792.tif 000004
【図３】
0003117792.tif 000005
【図４】
0003117792.tif 000006
【図５】
0003117792.tif 000007